(57)【特許請求の範囲】
【請求項１】
カメラ（１）を有する玄関子機（ＢＱ1）と偏平ＣＲＴモニタ（２０）を有する室内親機（ＡＱ１）とを２線（Ｌ１、Ｌ2）で接続し、前記玄関子機の前記カメラで撮像した映像信号を前記偏平ＣＲＴモニタのＧ1電極（Ｇ1）に印加し、前記映像信号から分離された水平、垂直同期信号で前記偏平ＣＲＴモニタの偏向ヨーク（２６）を駆動し、かつ前記偏平ＣＲＴモニタのＨｖ電極（Ｈｖ）、Ｇ2電極（Ｇ2）、Ｇ3電極（Ｇ3）を高圧駆動することにより、前記映像信号を前記室内親機の前記偏平ＣＲＴモニタで再生するテレビドアホン装置であって、
前記室内親機には前記映像信号を前記偏平ＣＲＴモニタのＧ1電極に印加して前記映像信号の黒レベルを固定化するクランプ回路（１８）を設け、
前記クランプ回路は、前記映像信号の交流成分のみを通過させるコンデンサ（Ｃ1）と、前記交流成分がエミッタに印加されベース、エミッタ間の電位差を場面が明るい時はエミッタに流れる直流分が少なく、場面が暗い時はエミッタに流れる直流分が大きくなるよう変化させる直流分再生用トランジスタ（Ｑ1）と、前記直流分再生用トランジスタのベースに一定の直流電圧を加える抵抗（Ｒ2、Ｒ3）と、前記直流分再生用トランジスタに接続され前記映像信号を出力するビデオ信号出力用トランジスタ（Ｑ2）とを有することを特徴とするテレビドアホン装置。
【発明の詳細な説明】
【０００１】
【発明の属する技術分野】
本発明はテレビドアホン装置に係わり、特に玄関子機のカメラで撮像された映像信号の黒レベルを固定化し、室内親機に設けられた偏平ＣＲＴモニタで映像信号が鮮明に再現できるテレビドアホン装置に関する。
【０００２】
【従来の技術】
従来のテレビインターホン装置は図６に示すように、ＣＣＤカメラ５１、映像変調回路５２、多重回路５３、音声レベル変換回路５４、電源回路５５、子機ＣＰＵ５６、マイク５７、スピーカ５８、呼出釦ＳＷ３を備えた玄関子機ＢＱ２と、平衡・不平衡変換回路６１、カメラ子機電源回路６２、データ送出回路６３、呼出検出回路６４、音声レベル変換回路６５、受話器６６ａと送話器６６ｂを設けた送受器６６、映像復調回路６７、モニタ電源回路７９、モニタ釦ＳＷ４が接続された親機ＣＰＵ８０及びモニタ回路ＭＯ２を備えた室内親機ＡＱ２で構成される。
【０００３】
尚、モニタ回路ＭＯ２はビデオ信号アンプ回路６９、偏平ＣＲＴモニタ７０、１０Ｖ安定化回路７１、同期分離回路７２、水平ドライブ回路７３、垂直ドライブ回路７４、高圧駆動回路７５、キーストン補正回路７７、アンド回路７８、偏向ヨーク７６を備えている。
【０００４】
玄関子機ＢＱ２の端子Ｔ１１と端子Ｔ１２はラインＬ１１、Ｌ１２（本線及び基準電位点線）を介して室内親機ＡＱ２の端子Ｔ１３と端子Ｔ１４にそれぞれ接続され、玄関子機ＢＱ２に設けられたＣＣＤカメラ５１の出力側は映像変調回路５２を介して多重回路５３の映像側と接続され、多重回路５３の線路側はコイル５９ａを介して端子Ｔ１１と接続されている。
【０００５】
多重回路５３の音声側はマイク５７とスピーカ５８が接続された音声レベル変換回路５４が接続され、かつ一端が基準電位点に接続された呼出釦ＳＷ３の他端が電源回路５５と共に接続されている。
【０００６】
一端が基準電位点に接続されたコイル５９ｂの他端は端子Ｔ１２を介してラインＬ１２と接続され、子機ＣＰＵ５６の制御出力側はＣＣＤカメラ５１及び多重回路５３の制御側とそれぞれ接続されている。
【０００７】
室内親機ＡＱ２の端子Ｔ１３はコイル６０ａの一端と接続され、コイル６０ａの他端は平衡・不平衡変換回路６１の平衡側と接続されている。平衡・不平衡変換回路６１の不平衡側は映像復調回路６７、モニタ回路ＭＯ２に設けられたビデオ信号アンプ回路６９を介して偏平ＣＲＴモニタ７０のＧ１電極７０ａと接続されている。
【０００８】
コイル６０ａの他端は、カメラ子機電源回路６２、データ送出回路６３、呼出検出回路６４及び音声レベル変換回路６５が接続され、カメラ子機電源回路６２の制御入力側は親機ＣＰＵ８０の制御出力側が接続されている。
【０００９】
データ送出回路６３の制御線側は親機ＣＰＵ８０と接続され、呼出検出回路６４の制御出力側は親機ＣＰＵ８０の制御入力側と接続されている。
【００１０】
音声レベル変換回路６５の制御線側は親機ＣＰＵ８０と接続され、音声レベル変換回路６５の受話音声レベル側と送話音声レベル側は、それぞれ送受器６６の受話器６６ａ及び送話器６６ｂと接続されている。
【００１１】
親機ＣＰＵ８０の制御出力側はモニタ電源回路７９を介してモニタ回路ＭＯ２に設けられた１０Ｖ安定化回路７１の受電側と接続され、１０Ｖ安定化回路７１の給電側はビデオ信号アンプ回路６９、高圧駆動回路７５及び同期分離回路７２の電源側とそれぞれ接続されている。
【００１２】
同期分離回路７２のビデオ信号入力側はビデオ信号アンプ回路６９と接続され、同期分離回路７２の垂直同期側は垂直ドライブ回路７３と接続されている。
【００１３】
垂直ドライブ回路７３の垂直偏向ヨーク側は垂直偏向ヨーク７６の一方の偏向ヨークを介して基準電位点と接続されている。
【００１４】
垂直ドライブ回路７３のキーストン補正側はキーストン補正回路７７を介してアンド回路７８の他方の入力側と接続され、アンド回路７８の出力側は垂直偏向ヨーク７６の他方の偏向ヨークを介して基準電位点と接続されている。
【００１５】
同期分離回路７２の水平同期側は水平ドライブ回路７４と接続され、水平ドライブ回路７４の出力側はアンド回路７８の一方の入力側及び高圧駆動回路７５の高圧側とそれぞれ接続されている。
【００１６】
高圧駆動回路７５の出力側は偏平ＣＲＴモニタ７０のＨｖ電極７０ｂ、Ｇ２電極７０ｃ及びＧ３電極７０ｄとそれぞれ接続されている。
【００１７】
このようなテレビインターホン装置において、玄関子機ＢＱ２に設けられた呼出釦ＳＷ３を押下すると、室内親機ＡＱ２に設けられた呼出検出回路６４が動作し玄関子機ＢＱ２から呼出があったことを親機ＣＰＵ８０へ知らせる。
【００１８】
親機ＣＰＵ８０は玄関子機ＢＱ２から呼出があったことを知ると、カメラ子機電源回路６２、モニタ電源回路７９を制御する。カメラ子機電源回路６２から玄関子機ＢＱ２の電源回路５５へ撮像用給電を開始し、モニタ電源回路７９からモニタ回路ＭＯ２にモニタ用給電を開始する。
【００１９】
これにより子機ＢＱ２の各回路がそれぞれ能動となり、玄関子機ＢＱ２のＣＣＤカメラ５１で撮像された映像信号が室内親機ＡＱ２へ送出され、マイク５７、スピーカ５８による音声信号が室内親機ＡＱ２へ送受可能となる。
【００２０】
また、モニタ回路ＭＯ２に給電が開始されると、モニタ回路ＭＯ２の各回路は動作する。
【００２１】
室内親機ＡＱ２の平衡・不平衡変換回路６１に入力された映像信号は平衡・不平衡変換回路６１で、平衡信号から不平衡信号に変換され、映像復調回路６７へ送出される。
【００２２】
映像復調回路６７は入力された映像信号（ＦＭ信号）を、ビデオ信号（コンポジット信号）に復調し、モニタ回路ＭＯ２に設けられたビデオ信号アンプ回路６９へ送出する。
【００２３】
ビデオ信号アンプ回路６９は入力された映像信号を偏平ＣＲＴモニタ７０のＧ１電極７０ａへ送出する。
【００２４】
またビデオ信号アンプ回路６９から出力されたビデオ信号は同期分離回路７２に入力され、同期分離回路７２はビデオ信号に含まれている垂直同期信号と水平同期信号を取り出し、垂直偏向ヨーク７６及び高圧駆動回路７５へ送出し偏平ＣＲＴモニタ７０のＨｖ電極７０ｂ、Ｇ２電極７０ｃ及びＧ３電極７０ｄにより偏平ＣＲＴモニタ７０の電子ビームを偏向し偏平ＣＲＴモニタ７０にＣＣＤカメラ５１で撮像された映像信号を映し出す。
【００２５】
【発明が解決しようとする課題】
上記のように従来のテレビドアホン装置では、ＣＣＤカメラ５１で撮像された映像信号は偏平ＣＲＴモニタ７０で平均化して映し出されるので、平均的に暗い映像は偏平ＣＲＴモニタ７０では白っぽい映像として再生されるという難点がある。
【００２６】
本発明は、このような難点を解消するためになされたもので、玄関子機のＣＣＤカメラで撮像された映像信号の黒レベルを固定化し、室内親機に設けられた偏平ＣＲＴモニタで映像信号が鮮明に再現できるテレビドアホン装置を提供することを目的とする。
【００２７】
【課題を解決するための手段】
この目的を達成するため、本発明のテレビドアホン装置は、カメラを有する玄関子機と偏平ＣＲＴモニタを有する室内親機とを２線で接続し、玄関子機のカメラで撮像した映像信号を偏平ＣＲＴモニタのＧ1電極に印加し、映像信号から分離された水平、垂直同期信号で偏平ＣＲＴモニタの偏向ヨークを駆動し、かつ偏平ＣＲＴモニタのＨｖ電極、Ｇ2電極、Ｇ3電極を高圧駆動することにより、映像信号を室内親機の偏平ＣＲＴモニタで再生するテレビドアホン装置であって、室内親機は映像信号を偏平ＣＲＴモニタのＧ1電極に印加して映像信号の黒レベルを固定化するクランプ回路を設け、クランプ回路は、映像信号の交流成分のみを通過させるコンデンサと、交流成分がエミッタに印加されベース、エミッタ間の電位差を場面が明るい時はエミッタに流れる直流分が少なく、場面が暗い時はエミッタに流れる直流分が大きくなるよう変化させる直流分再生用トランジスタと、直流分再生用トランジスタのベースに一定の直流電圧を加える抵抗と、直流分再生用トランジスタに接続され映像信号を出力するビデオ信号出力用トランジスタとを有する構成である。
【００２８】
このようなテレビインターホン装置において、玄関子機に設けられたカメラで撮像された映像信号を２線を介して室内親機へ送出する。
【００２９】
室内親機は入力された映像信号を偏平ＣＲＴモニタのＧ１電極に印加する。
【００３０】
また、映像信号から分離された水平、垂直同期信号で偏平ＣＲＴモニタの偏向ヨークを駆動し、かつ偏平ＣＲＴモニタのＨｖ電極、Ｇ２電極、Ｇ３電極を高圧駆動する。
【００３１】
映像信号を偏平ＣＲＴモニタのＧ１電極に印加する際、クランプ回路で映像信号の黒レベルを固定化する。
【００３２】
【発明の実施の形態】
以下、本発明のテレビドアホン装置をその一実施例について図にしたがって詳述する。
【００３３】
本発明のテレビドアホン装置は、図１に示すように、ＣＣＤカメラ１、映像変調回路２、多重回路３、音声レベル変換回路４、電源回路５、子機ＣＰＵ６、マイク７、スピーカ８、呼出釦ＳＷ１を備えた玄関子機ＢＱ１と、平衡・不平衡変換回路１１、カメラ子機電源回路１２、データ送出回路１３、呼出検出回路１４、音声レベル変換回路１５、受話器１６ａと送話器１６ｂを設けた送受器１６、映像復調回路１７、モニタ電源回路２９、モニタ釦ＳＷ２が接続された親機ＣＰＵ３０及びモニタ回路ＭＯ１を備えた室内親機ＡＱ１で構成される。
【００３４】
尚、モニタ回路ＭＯ１はＧ１クランプ回路１８、ビデオ信号アンプ回路１９、偏平ＣＲＴモニタ２０、１０Ｖ安定化回路２１、同期分離回路２２、水平ドライブ回路２３、垂直ドライブ回路２４、高圧駆動回路２５、キーストン補正回路２７、アンド回路２８、偏向ヨーク２６を備えている。
【００３５】
Ｇ１クランプ回路１８は図２に示すように、直流分再生用トランジスタＱ１とビデオ信号出力用トランジスタＱ２を有し、Ｇ１クランプ回路１８のビデオ信号入力端子１８ａは映像復調回路１７のビデオ信号出力側と接続され、クランプビデオ信号出力端子１８ｂはビデオ信号アンプ回路１９のビデオ信号入力側と接続されている。
【００３６】
また、安定化電源受電端子１８ｃは１０Ｖ安定化回路２１の安定化電源供給側が接続されている。
【００３７】
ビデオ信号入力端子１８ａはコンデンサＣ１及び抵抗Ｒ１のそれぞれの一端が接続され、抵抗Ｒ１の他端は基準電位点と接続されている。
【００３８】
コンデンサＣ１の他端は直流分再生用トランジスタＱ１のエミッタと接続され、直流分再生用トランジスタＱ１のコレクタは安定化電源受電端子１８ｃと接続されている。
【００３９】
一端が安定化電源受電端子１８ｃと接続された抵抗Ｒ２の他端は直流分再生用トランジスタＱ１のベースと接続され、直流分再生用トランジスタＱ１のベースは抵抗Ｒ３及びコンデンサＣ２の一端がそれぞれ接続されている。
【００４０】
コンデンサＣ２の他端は基準電位点と接続され、抵抗Ｒ３の他端はダイオードユニットＤＵに直列接続されて設けられたダイオードＤ１、Ｄ２のアノード、カソードを介して基準電位点と接続されている。
【００４１】
ビデオ信号出力用トランジスタＱ２のベースは、直流分再生用トランジスタＱ１のエミッタと接続され、ビデオ信号出力用トランジスタＱ２のコレクタは安定化電源受電端子１８ｃと接続されている。
【００４２】
ビデオ信号出力用トランジスタＱ２のエミッタは抵抗Ｒ４の一端とクランプビデオ信号出力端子１８ｂとそれぞれ接続され、抵抗Ｒ４の他端は基準電位点と接続されている。
【００４３】
玄関子機ＢＱ１の端子Ｔ１と端子Ｔ２はラインＬ１、Ｌ２（本線及び基準電位点線）を介して室内親機ＡＱ１の端子Ｔ３と端子Ｔ４にそれぞれ接続され、玄関子機ＢＱ１に設けられたＣＣＤカメラ１の出力側は映像変調回路２を介して多重回路３の映像側と接続され、多重回路３の線路側はコイル９ａを介して端子Ｔ１と接続されている。
【００４４】
多重回路３の音声側はマイク７とスピーカ８が接続された音声レベル変換回路４が接続され、かつ、一端が基準電位点に接続された呼出釦ＳＷ１の他端が電源回路５と共に接続されている。
【００４５】
一端が基準電位点に接続されたコイル９ｂの他端は端子Ｔ２を介してラインＬ２と接続され、子機ＣＰＵ６の制御出力側はＣＣＤカメラ１及び多重回路３の制御側とそれぞれ接続されている。
【００４６】
室内親機ＡＱ１の端子Ｔ３はコイル１０ａの一端と接続され、コイル１０ａの他端は平衡・不平衡変換回路１１の平衡側と接続されている。平衡・不平衡変換回路１１の不平衡側は映像復調回路１７を介してモニタ回路ＭＯ１に設けられたＧ１クランプ回路１８のビデオ信号入力端子１８ａと接続されＧ１クランプ回路１８のクランプビデオ信号出力端子１８ｂはビデオ信号アンプ回路１９のビデオ信号入力側と接続されている。
【００４７】
ビデオ信号アンプ回路１９のビデオ信号入力側は偏平ＣＲＴモニタ２０のＧ１電極Ｇ１と接続されている、
コイル１０ａの他端は、カメラ子機電源回路１２、データ送出回路１３、呼出検出回路１４及び音声レベル変換回路１５が接続され、カメラ子機電源回路１２の制御入力側は親機ＣＰＵ３０の制御出力側が接続されている。
【００４８】
データ送出回路１３の制御線側は親機ＣＰＵ３０と接続され、呼出検出回路１４の制御出力側は親機ＣＰＵ３０の制御入力側と接続されている。
【００４９】
音声レベル変換回路１５の制御線側は親機ＣＰＵ３０と接続され、音声レベル変換回路１５の受話音声レベル側と送話音声レベル側は、それぞれ送受器１６の受話器１６ａ及び送話器１６ｂと接続されている。
【００５０】
親機ＣＰＵ３０の制御出力側はモニタ電源回路２９を介してモニタ回路ＭＯ１に設けられた１０Ｖ安定化回路２１の受電側と接続され、１０Ｖ安定化回路２１の給電側はビデオ信号アンプ回路１９、高圧駆動回路２５、同期分離回路２２の電源側及びＧ１クランプ回路１８の安定化電源受電端子１８ｃとそれぞれ接続されている。
【００５１】
同期分離回路２２のビデオ信号入力側はビデオ信号アンプ回路１９と接続され、同期分離回路２２の垂直同期側は垂直ドライブ回路２４と接続されている。
【００５２】
垂直ドライブ回路２４の垂直偏向ヨーク側は垂直偏向ヨーク２６の一方の偏向ヨークを介して基準電位点と接続されている。
【００５３】
垂直ドライブ回路２４のキーストン補正側はキーストン補正回路２７を介してアンド回路２８の他方の入力側と接続され、アンド回路２８の出力側は垂直偏向ヨーク２６の他方の偏向ヨークを介して基準電位点と接続されている。
【００５４】
同期分離回路２２の水平同期側は水平ドライブ回路２３と接続され、水平ドライブ回路２３の出力側はアンド回路２８の一方の入力側及び高圧駆動回路２５の高圧側とそれぞれ接続されている。
【００５５】
高圧駆動回路２５の出力側は偏平ＣＲＴモニタ２０のＨｖ電極Ｈｖ、Ｇ２電極Ｇ２及びＧ３電極Ｇ３とそれぞれ接続されている。
【００５６】
このようなテレビドアホン装置において、玄関子機ＢＱ１に設けられた呼出釦ＳＷ１を押下すると、室内親機ＡＱ１に設けられた呼出検出回路１４が動作し玄関子機ＢＱ１から呼出があったことを親機ＣＰＵ３０へ知らせる。
【００５７】
親機ＣＰＵ３０は玄関子機ＢＱ１から呼出があったことを知ると、カメラ子機電源回路１２、モニタ電源回路２９を制御する。カメラ子機電源回路１２から玄関子機ＢＱ１の電源回路５へ撮像用給電を開始し、モニタ電源回路２９からモニタ回路ＭＯ１の１０Ｖ安定化回路２１にモニタ用給電を開始する。
【００５８】
これにより子機ＢＱ１の各回路がそれぞれ能動となり、玄関子機ＢＱ１のＣＣＤカメラ１で撮像された映像信号が室内親機ＡＱ１へ送出され、マイク７、スピーカ８による音声信号が室内親機ＡＱ１に設けられた送受器１６の受話器１６ａと送話器１６ｂで送受可能となる。
【００５９】
また、モニタ回路ＭＯ１に給電が開始されると、モニタ回路ＭＯ１の各回路は動作する。
【００６０】
室内親機ＡＱ１の平衡・不平衡変換回路１１に入力された映像信号は平衡・不平衡変換回路１１で平衡信号から不平衡信号に変換され、映像復調回路１７へ送出される。
【００６１】
映像復調回路１７は入力された映像信号（ＦＭ信号）を、ビデオ信号（コンポジット信号）として復調し、モニタ回路ＭＯ１に設けられたＧ１クランプ回路１８のビデオ信号入力端子１８ａへ送出する。
【００６２】
Ｇ１クランプ回路１８は入力されたビデオ信号を黒レベルでクランプしクランプビデオ信号出力端子１８ｂからビデオ信号アンプ回路１９を介して偏平ＣＲＴモニタ２０のＧ１電極Ｇ１へ送出する。
【００６３】
またビデオ信号アンプ回路１９から出力されたビデオ信号は同期分離回路２２に入力され、同期分離回路２２はビデオ信号に含まれている垂直同期信号と水平同期信号を取り出し、垂直偏向ヨーク２６及び高圧駆動回路２５へ送出し偏平ＣＲＴモニタ２０のＨｖ電極Ｈｖ、Ｇ２電極Ｇ２及びＧ３電極Ｇ３により偏平ＣＲＴモニタ２０の電子ビームを偏向し偏平ＣＲＴモニタ２０にＣＣＤカメラ１で撮像された映像信号を映し出す。
【００６４】
図２に示すようにＧ１クランプ回路１８に設けられたコンデンサＣ１はビデオ信号の交流成分のみを通過させる。
【００６５】
直流分再生用トランジスタＱ1のエミッタに交流成分が印加されると、直流分再生用トランジスタＱ1のベース、エミッタ間の電位差は、場面が明るい時はエミッタに流れる直流分が少なく、場面が暗い時はエミッタに流れる直流分が大きくなるよう変化する。
【００６６】
なお、抵抗Ｒ2、Ｒ3は１０Ｖ安定化回路２１から給電され一定の直流電圧を直流分再生用トランジスタＱ1のベースに加える。直流分再生用トランジスタＱ1のベースバイアスダイオードユニットＤＵに直列接続されて設けられたダイオードＤ1、Ｄ2は直流分再生用トランジスタＱ1とビデオ信号出力用トランジスタＱ2の温度変化補正ダイオードである。コンデンサＣ2はエミッタに流れる直流分におけるビデオ信号によるリップルの影響でベース電圧が脈動するのを低減するものである。
【００６７】
図３は偏平ＣＲＴモニタ２０に１Ｖｐｐのホワイトフィールド信号の全白信号及び１Ｖｐｐのホワイトフィールド信号インバースの全黒信号を印加した場合の従来の波形で、▲１▼が白レベル、▲２▼が全白信号のブランキング信号、▲３▼が全黒信号ブランキング信号でそれぞれのブランキング信号は不揃いで本来は黒であるはずのものが▲４▼に示す灰色となっている。
【００６８】
図４に本発明の波形を示す。
【００６９】
▲２▼、▲３▼に示すようにブランキング信号は同一レベルにクランプされ、黒のレベルを固定化することで暗闇などの映像において、赤外照明のあたっている人物だけを浮き上がらせることができ鮮明な映像がモニタできる。
【００７０】
図５にパターンジェネレータの各種ビデオ信号の偏平ＣＲＴモニタ２０におけるカソード電流との関係を示す。
【００７１】
▲５▼、▲６▼、▲７▼の波形は従来、▲１▼、▲２▼、▲３▼は本願の波形で、白レベルの少ないビデオ信号では▲１▼に示すよう（従来は▲５▼）にカソード電流を押え、モノスコープパターンや全白信号のような白レベルの多いビデオ信号では▲３▼に示すよう（従来は▲７▼）にカソード電流を信号成分に忠実に流す（従来は忠実でない）ようにしている。
【００７２】
尚、カソード電流が３０μＡ以上になるとフオーカス特性の限界を越え映像がぼけるので３０μＡ以上にならないようになっている。
【００７３】
【発明の効果】
以上の説明から明らかなように、本発明のテレビドアホン装置によれば、玄関子機のカメラで撮像された映像信号の黒レベルを固定化し、室内親機に設けられた偏平ＣＲＴモニタで映像信号が鮮明に再現できる。
【図面の簡単な説明】
【図１】本発明によるテレビドアホン装置の一実施例を示すブロック図。
【図２】本発明によるテレビドアホン装置で使用するＧ1クランプ回路。
【図３】本発明によるテレビドアホン装置の特性を比較するための従来のビデオ信号における白レベル、黒レベルの波形図。
【図４】本発明によるテレビドアホン装置の特性を説明するためのビデオ信号における白レベル、黒レベルの波形図。
【図５】本発明によるテレビドアホン装置のカソード電流の特性図。
【図６】従来のテレビドアホン装置のブロック図。
【符号の説明】
１‥‥‥ＣＣＤカメラ（カメラ）
１８‥‥‥Ｇ1クランプ回路（クランプ回路）
２０‥‥‥偏平ＣＲＴモニタ
２６‥‥‥偏向ヨーク
Ｇ1‥‥‥Ｇ1電極
Ｈｖ‥‥‥Ｈｖ電極
Ｇ2‥‥‥Ｇ2電極
Ｇ3‥‥‥Ｇ3電極
ＡＱ1‥‥‥室内親機
ＢＱ１‥‥‥玄関子機
Ｌ１、Ｌ2‥‥‥ライン（２線）
Ｃ1‥‥‥コンデンサ
Ｑ1‥‥‥直流分再生用トランジスタ
Ｒ2、Ｒ3‥‥‥抵抗
Ｑ2‥‥‥ビデオ信号出力用トランジスタ
【図１】
0003579192.tif 000002
【図２】
0003579192.tif 000003
【図３】
0003579192.tif 000004
【図４】
0003579192.tif 000005
【図５】
0003579192.tif 000006
【図６】
0003579192.tif 000007